(57)【要約】  本発明は、プラグハウジング（２）と、該プラグハウジング（２）に配置された、電流のための接続部分と、シーズ形ヒータ（４）、一般には埋設された発熱エレメントを備えたチューブとから成る、内燃機関のためのシーズ形グロープラグ（１）に関する。接続部分および発熱エレメントは接続ピン（５）およびコンタクトエレメント（６）を介して電気的に連結されている。  本発明によれば、接続ピン（５）およびコンタクトエレメント（６）が少なくとも部分的に、電気絶縁性のプラスチックスリーブ（７）により、ハウジング（２）内で包囲されるようにした。
2006528761.tif 000002
【特許請求の範囲】
【請求項１】
内燃機関のためのシーズ形グロープラグであって、プラグハウジングと、該プラグハウジングに配置された、電流のための接続部分と、埋設された発熱エレメントを備えたチューブとが設けられており、接続領域および発熱エレメントが接続ピンおよびコンタクトエレメントを介して電気的に連結されている形式のものにおいて、接続ピン（５）およびコンタクトエレメント（６）が少なくとも部分的に、電気絶縁性のプラスチックスリーブ（７）により、ハウジング（２）内で包囲されることを特徴とする、特に埋設されたコンタクトエレメントを備えたシーズ形グロープラグ。
【請求項２】
プラスチックスリーブ（７）が締付けスリーブである、請求項１記載のシーズ形グロープラグ。
【請求項３】
コンタクトエレメント（６）が円筒形の形状を有しており、外周面が完全にプラスチックスリーブ（７）により包囲されている、請求項１または２記載のシーズ形グロープラグ。
【請求項４】
プラスチックスリーブ（７）が弾性的な特性を有している、請求項１から３までのいずれか１項記載のシーズ形グロープラグ。
【請求項５】
プラスチックスリーブ（７）が複数部分から形成されている、請求項１から４までのいずれか１項記載のシーズ形グロープラグ。
【請求項６】
コンタクトエレメント（６）が弾性的である、請求項１から５までのいずれか１項記載のシーズ形グロープラグ。
【請求項７】
コンタクトエレメント（６）がグラファイトペレットである、請求項１から６までのいずれか１項記載のシーズ形グロープラグ。
【発明の詳細な説明】
【技術分野】
【０００１】
本発明は、プラグハウジングと、該プラグハウジングに配置された、電流のための接続部分と、シーズ形ヒータ、一般には埋設された発熱エレメントを備えたチューブとから成る、内燃機関のためのシーズ形グロープラグに関する。接続部分および発熱エレメントは接続ピンおよびコンタクトエレメントを介して電気的に連結されている。
【０００２】
背景技術
コンタクトエレメントは、ハウジング内部に設けられた、シーズ形ヒータの接続領域および接続ピンと相俟って、「プラス接点（Ｐｌｕｓｋｏｎｔａｋｔ）」を形成する。コンタクトエレメントをシーズ形グロープラグのハウジング内に固定すると共に、コンタクトエレメントをハウジングに対して絶縁するために、背景技術から種々異なる方法が知られている。
【０００３】
本発明は特に、コンタクトが弾性的な線路エレメント、例えばグラファイトペレットにより形成される構成に関する。絶縁および固定のために、この構成ではセラミック製の締付けスリーブが使用される。締付けスリーブは接続ピンおよびグラファイトペレットを包囲し、それにより、ハウジングとのコンタクトを阻止する。同時に、締付けスリーブは、コンタクトエレメントが、シーズ形ヒータもしくは発熱エレメントとの良好なコンタクトを保証する所定の位置にとどまることを可能にする。
【０００４】
背景技術の欠点
しばしばシーズ形グロープラグは小さな直径を要求される。シーズ形ヒータおよび接続ピンによる電気的な特性もしくはシーズ形ヒータおよび接続ピンの寸法が予め決められているので、接続ピンとハウジングとの間には僅かなスペースしか残されていない。それゆえ、締付けスリーブは僅かな壁厚さで製作されねばならず、このことはセラミック材料では高い製作手間およびコストにつながってしまう。
【０００５】
発明の課題
本発明の課題は、コンタクトエレメントの安定な固定を示し、コンタクトエレメントの固定および絶縁を安価に形成することができるシーズ形グロープラグを提案することである。
【０００６】
課題の解決策
課題の解決策は、接続ピンおよびコンタクトエレメントが少なくとも部分的に、電気絶縁性のプラスチックスリーブにより、ハウジング内で包囲されることにある。
【０００７】
発明の利点
スリーブ、有利にはプラスチック締付けスリーブの使用により、ハウジングに対する極めて簡単な電気的な絶縁が達成される。プラスチックスリーブはセラミック製のスリーブに対して、より簡単に、ひいてはより安価に製作可能であるという利点を有している。このことは特に、シーズ形グロープラグにおいてしばしば必要とされる僅かな壁厚さを有するスリーブに関して当てはまる。
【０００８】
プラスチックは僅かな壁厚さでも良好な絶縁を提供することができ、同時に、後続の加工ステップに耐え得る十分な強さを有している。例えば、発熱エレメントを包囲する支持チューブがハウジングに結合されるとき、このことは押込み、打込み、はんだ付けまたは溶接により実施されるが、その際、プラスチックスリーブにも部分的に強い力がかかる。
【０００９】
プラスチックスリーブは簡単に種々異なる寸法および形状で製作されることができる。有利な構成は、プラスチックスリーブの、締付けスリーブとしての製作である。
【００１０】
良好なコンタクトを形成するために、コンタクトエレメントはできるだけ大きな面積で発熱エレメントおよび接続ピンに連結されねばならない。それゆえ、シーズ形グロープラグのような管形の構成部分のために、コンタクトエレメントの円筒形の形状が推奨される。それゆえ、ハウジングに対する十分な絶縁を保証するために、プラスチックスリーブは円筒外周面を完全に包囲しなければならない。
【００１１】
セラミック材料に対して、プラスチックは弾性的な特性を備えて提供されることもできる。有利な実施形態では、プラスチックスリーブは半径方向および／または長手方向での弾性を有している。弾性は構成部分の頑丈さを高め、組立時または運転中の負荷時の破損可能性を減じる。
【００１２】
プラスチックスリーブは一部分から形成されていることができる。また別の有利な構成では、プラスチックスリーブは複数の部分から形成されていることもできる。その際、個々の部分はモジュール原理（Ｂａｕｋａｓｔｅｎｐｒｉｎｚｉｐ）で種々異なるタイプのシーズ形グロープラグのために組み合わされることができる。
【００１３】
別の有利な構成は以下の説明ならびに特許請求の範囲から得られる。
【００１４】
図面
図１：シーズ形グロープラグの一部の概略断面図である。
【００１５】
実施例の説明
図１には、シーズ形グロープラグ１の、本発明の基礎を成す部分が示されている。このシーズ形グロープラグ１は、プラグハウジング２と、詳細には説明されないシーズ形ヒータ（Ｓｔｉｆｔｈｅｉｚｅｒ）４の接続領域３とから成る。
【００１６】
ハウジング２内には接続ピン５が設けられている。接続ピン５とヒータの接続領域３との間の電気的なコンタクトを形成するために、これらの両エレメントの間にコンタクトエレメント６が設けられている。コンタクトエレメント６は有利には弾性的である。この種のコンタクトエレメント６は例えばグラファイトペレット（Ｇｒａｐｈｉｔｔａｂｌｅｔｔｅ）であることができる。
【００１７】
コンタクトエレメント６の固定と、ハウジング２に対するコンタクトエレメントおよび接続ピン５の絶縁とを達成するために、ハウジング２内には、本発明によりプラスチックスリーブ７が挿入される。プラスチックスリーブ７内には接続ピン４が配置されている。このプラスチックスリーブ７は簡単かつ安価に、僅かな壁厚さ８で製作される。
【００１８】
接続領域３には切欠き９が設けられている。切欠き９内にはコンタクトエレメント６が少なくとも部分的に導入可能である。
【００１９】
スリーブ７は有利には一部分から形成されている。スリーブ７は締付けスリーブとして形成されており、それにより、ハウジング２の内壁１０に当て付けられている。
【図面の簡単な説明】
【００２０】
【図１】シーズ形グロープラグの一部の概略断面図である。
【図１】
2006528761.tif 000003
【国際調査報告】
2006528761.tif 000004
2006528761.tif 000005
2006528761.tif 000006
2006528761.tif 000007
2006528761.tif 000008
2006528761.tif 000009